(57)【特許請求の範囲】
【請求項１】
建物の外壁面から突出した軒の下面に設置する軒天井板の支持構造であって、
前記軒天井板の鼻隠し側の端部を載置して支持する受け金具が、鼻隠し下地材に取り付けられる取付片と、該取付片に接続された連結片と、該連結片に接続された受け片と、前記連結片に設けられた切欠部とを有して構成され、
前記受け金具の取付片が前記鼻隠し下地材に固定され、前記軒天井板が前記受け金具の受け片に載置されると共に、前記受け金具の切欠部から断面コ字形状の拘束金具の上片が挿通されて前記軒天井板の上面に当接し且つ前記拘束金具の下片が前記軒天井板を載置した前記受け金具の受け片の下面に当接して該拘束金具により前記軒天井板と前記受け金具の受け片とが挟持して拘束され、
前記軒天井板の外壁面側の端部が壁際野縁に固定されたことを特徴とする軒天井板の支持構造。
【請求項２】
前記連結片は断面Ｌ字形状のアングル片からなり、前記受け金具が前記取付片と、前記アングル片と、前記受け片とにより断面Ｗ字形状で構成されたことを特徴とする請求項１に記載の軒天井板の支持構造。
【請求項３】
前記鼻隠し下地材に、前記受け金具と、前記拘束金具と、前記軒天井板の鼻隠し側の端部とを覆う通気見切り材を固定したことを特徴とする請求項１または請求項２に記載の軒天井板の支持構造。
【請求項４】
前記通気見切り材の換気用空気通路内に、熱によって膨張する不燃性体積膨張材を設けたことを特徴とする請求項３に記載の軒天井板の支持構造。
【発明の詳細な説明】
【技術分野】
【０００１】
本発明は、建物の外壁面から突出した軒の下面に設置する軒天井板の支持構造に関するものである。
【背景技術】
【０００２】
従来、建物の外壁面から突出した軒の下面に設置する軒天井板の支持構造において、施工性の向上、鼻隠し側野縁或いは外壁側野縁と軒天井板との釘止めを省く代わりに支持金具を鼻隠し側或いは外壁側に取り付けてその支持金具に設けられた嵌合部に軒天井板を挿入して支持する構造が提案されており、その支持金具が通気見切り材を兼ねたり、別途通気見切り材を装着している。
【０００３】
【特許文献１】実開平０２−０６８９２６号公報
【特許文献２】特開平０６−０７３８２８号公報
【特許文献３】特開平０９−０６０１８４号公報
【特許文献４】特開平１０−１８３８５１号公報
【発明の開示】
【発明が解決しようとする課題】
【０００４】
しかしながら、前述の従来例において、特許文献１〜３の技術では、外壁面側に支持金具が設けられるものであるが、台風等の暴風雨時には外壁面と軒天井板との取り合い部に雨風が直接当ることになるので、雨風が通気見切り材の換気穴から小屋裏または壁内部に侵入する虞があった。
【０００５】
一方、軒裏の鼻隠し側部分には雨風が直接当らないので、特許文献４のように、鼻隠し側に支持金具を設けることで防水上の不安は軽減されることになるが、特許文献４の技術では、外壁側から鼻隠し側に向かって軒天井板の端部を支持金具に設けられた上下片に挟み込んで支持する嵌合部に挿入しなければならず、外壁側には軒天井板の逃げのスペースが取れないため、軒天井板を支持金具に設けられた嵌合部に挿入する作業が困難である。
【０００６】
特許文献４のように軒天井板を支持金具の上下片に挟み込んで支持する場合、２０mm前後の呑み込み代が必要であるが、この呑み込み代に軒天井板を挿入した寸法分だけ外壁面側に隙間が出来てしまうため、支持金具の呑み込み代を大きくすると支持金具の見付け寸法が大きくなる。また、外壁側に出来る隙間を隠す部材が別途必要となってコストアップの原因となるという問題があった。
【０００７】
本発明は前記課題を解決するものであり、その目的とするところは、軒天井板の施工性が良く、且つ防水性に優れた軒天井板の支持構造を提供せんとするものである。
【課題を解決するための手段】
【０００８】
前記目的を達成するための本発明に係る軒天井板の支持構造の第１の構成は、建物の外壁面から突出した軒の下面に設置する軒天井板の支持構造であって、前記軒天井板の鼻隠し側の端部を載置して支持する受け金具が、鼻隠し下地材に取り付けられる取付片と、該取付片に接続された連結片と、該連結片に接続された受け片と、前記連結片に設けられた切欠部とを有して構成され、前記受け金具の取付片が前記鼻隠し下地材に固定され、前記軒天井板が前記受け金具の受け片に載置されると共に、前記受け金具の切欠部から断面コ字形状の拘束金具の上片が挿通されて前記軒天井板の上面に当接し且つ前記拘束金具の下片が前記軒天井板を載置した前記受け金具の受け片の下面に当接して該拘束金具により前記軒天井板と前記受け金具の受け片とが挟持して拘束され、前記軒天井板の外壁面側の端部が壁際野縁に固定されたことを特徴とする。
【０００９】
また、本発明に係る軒天井板の支持構造の第２の構成は、前記第１の構成において、前記連結片は断面Ｌ字形状のアングル片からなり、前記受け金具が前記取付片と、前記アングル片と、前記受け片とにより断面Ｗ字形状で構成されたことを特徴とする。
【００１０】
また、本発明に係る軒天井板の支持構造の第３の構成は、前記第１、第２の構成において、前記鼻隠し下地材に、前記受け金具と、前記拘束金具と、前記軒天井板の鼻隠し側の端部とを覆う通気見切り材を固定したことを特徴とする。
【００１１】
また、本発明に係る軒天井板の支持構造の第４の構成は、前記第３の構成において、前記通気見切り材の換気用空気通路内に、熱によって膨張する不燃性体積膨張材を設けたことを特徴とする。
【発明の効果】
【００１２】
本発明に係る軒天井板の支持構造の第１の構成によれば、軒天井板の鼻隠し側の端部を載置して支持する受け金具は上部が開放された構成であるため、軒天井板の鼻隠し側の端部を受け金具の上部に挿入し且つ該軒天井板の外壁側の端部を下降させたた斜めの状態で外壁側に軒天井板の逃げのスペースを十分確保することが出来、しかも軒天井板の鼻隠し側の端部は受け金具により仮支持されて軒天井板を安定して且つ容易に受け金具の受け片上に載置することが出来る。
【００１３】
これにより、軒天井板の鼻隠し側の端部を受け金具の受け片上に載置した状態で軒天井板の外壁面側の端部を外壁面側の壁際野縁に固定することが出来るので、軒天井板の施工作業が一人の作業員で行うことが出来、施工性に優れる。
【００１４】
また、受け金具の受け片の呑み込み代を大きくする必要がなく受け金具の見付け寸法も小さくて済む上、外壁面側に隙間が出来ないため隙間を隠す部材も必要がない。
【００１５】
また、軒天井板の鼻隠し側の端部を受け金具の受け片上に載置し、該軒天井板の外壁面側の端部を壁際野縁に固定した後は、受け金具の連結片に設けられた切欠部から拘束金具の上片を挿通して軒天井板の上面に当接し且つ該拘束金具の下片を軒天井板を載置した受け金具の受け片の下面に当接して該拘束金具により軒天井板と受け金具の受け片とを挟持して拘束し、ワンタッチで固定することが出来る。
【００１６】
また、暴風雨時に雨風が直接当らない鼻隠し側で小屋裏の換気が出来るので防水性に優れ、施工が容易な軒天井板の支持構造とすることが出来る。
【００１７】
また、本発明に係る軒天井板の支持構造の第２の構成によれば、受け金具の連結片が断面Ｌ字形状のアングル片からなり、該受け金具が取付片と、アングル片と、受け片とにより断面Ｗ字形状で構成されたことで、受け金具を上部が開放された構成とすることが出来、軒天井板の外壁面側の端部を下降させたた斜めの状態で該軒天井板の鼻隠し側の端部を受け金具の上部に挿入し、軒天井板を外壁面側方向にスライドさせても断面Ｌ字形状のアングル片からなる連結片上で仮支持して軒天井板の鼻隠し側の端部を受け金具の受け片上に容易に且つ安全に移動して載置することが出来る。
【００１８】
また、本発明に係る軒天井板の支持構造の第３の構成によれば、通気見切り材により暴風雨時に雨風が直接当らない鼻隠し側で小屋裏の換気を確保すると共に、受け金具と、拘束金具と、軒天井板の鼻隠し側の端部とを覆って小屋裏への雨風の侵入を防止することが出来る。
【００１９】
また、本発明に係る軒天井板の支持構造の第４の構成によれば、通気見切り材の換気用空気通路内に設けた不燃性体積膨張材は、通常時は収縮状態で通気見切り材の換気用空気通路を開放し、火災時には熱によって膨張して通気見切り材の換気用空気通路を閉塞して火炎の延焼を阻止することが出来る。
【発明を実施するための最良の形態】
【００２０】
図により本発明に係る軒天井板の支持構造の一実施形態を具体的に説明する。図１は本発明に係る軒天井板の支持構造の第１実施形態の構成を示す断面説明図、図２は第１実施形態の受け金具の構成を示す図、図３は第１実施形態の拘束金具の構成を示す図、図４は軒天井板を設置する様子を示す図、図５及び図６は第１実施形態において、拘束金具により軒天井板を受け金具に拘束する様子を示す断面説明図及び斜視説明図、図７は通気見切り材の構成を示す斜視図、図８は換気用空気通路内に設けた不燃性体積膨張材が熱によって膨張した様子を示す図である。
【００２１】
図１、図４及び図５において、１は小屋裏であり、２は屋根、３は鼻隠し板、４は鼻隠し下地材、５は外壁下地材である胴縁、６は胴縁５に取り付けられる外壁、７は胴縁５に取り付けられる壁際野縁、８は軒天井板である。軒天井板８は建物の外壁面６から突出した軒の下面に設置される。
【００２２】
軒天井板８の鼻隠し側（図４の左側）の端部は、鼻隠し下地材４の内面４ａ側に固定部材となるビス10により固定された図２に示す断面Ｗ字形状の受け金具９により載置して支持される。
【００２３】
本実施形態の受け金具９は、図２に示すように、鼻隠し下地材４の内面４ａ側にビス10により取り付けられる取付片９ａと、該取付片９ａに接続された連結片となる断面Ｌ字形状のアングル片９ｂと、該アングル片９ｂに接続された受け片９ｃと、該アングル片９ｂに設けられた切欠部９ｄとを有して構成される。本実施形態の切欠部９ｄは図２に示すように、取付片９ａの中央下端部からアングル片９ｂの水平片9b1の中央部及び垂下片9b2の中央上端部に亘って形成されている。
【００２４】
軒天井板８の設置方法としては、先ず、受け金具９の取付片９ａの取付穴9a1に固定部材となるビス10を挿通して鼻隠し下地材４の内面４ａ側に固定し、次に、図４に示すように、軒天井板８の外壁面６側の端部を下降させたた斜めの状態で該軒天井板８の鼻隠し側の端部を受け金具９の上部に挿入し、軒天井板８を外壁面６側方向（図４の矢線ａ方向）にスライドさせて軒天井板８の鼻隠し側の端部を受け金具９の受け片９ｃ上に載置する。
【００２５】
このとき、本実施形態では、受け金具９の連結片が断面Ｌ字形状のアングル片９ｂからなり、該受け金具９が取付片９ａと、アングル片９ｂと、受け片９ｃとにより断面Ｗ字形状で構成されたことで、受け金具９を上部が開放された構成とすることが出来、軒天井板８の外壁面６側の端部を下降させたた斜めの状態で該軒天井板８の鼻隠し側の端部を受け金具９の上部に挿入し、軒天井板８を外壁面６側方向にスライドさせても断面Ｌ字形状のアングル片９ｂからなる連結片上で仮支持して軒天井板８の鼻隠し側の端部を受け金具９の受け片９ｃ上に容易に且つ安全に移動して載置することが出来る。
【００２６】
尚、本実施形態では、受け金具９の連結片を断面Ｌ字形状のアングル片９ｂにより構成した場合の一例について説明するが、受け金具９の連結片はこの形状に限定される必要はなく、他の複数段数の階段形状を有する連結片、平板状の連結片、湾曲状の連結片等の種々の形状の連結片により取付片９ａと受け片９ｃとを連結した受け金具９で構成することが出来、例えば、取付片９ａと連結片とが一体的に形成される平板からなり、取付片９ａ（連結片）と受け片９ｃとが断面Ｌ字形状に形成される受け金具９を採用することも出来る。そのような種々の形状で構成された受け金具９の上部が開放され、且つ軒天井板８を外壁面６側方向にスライドさせてもそれら各形状の連結片上で仮支持して軒天井板８の鼻隠し側の端部を受け金具９の受け片９ｃ上に容易に且つ安全に移動して載置することが出来るものであれば種々の形状の連結片が適用可能である。
【００２７】
本実施形態では、軒天井板８の鼻隠し側の端部を載置して支持する断面Ｗ字形状の受け金具９は上部が開放された構成であるため、軒天井板８の鼻隠し側の端部を受け金具９の上部に挿入し且つ該軒天井板８の外壁面６側の端部を下降させたた斜めの状態で外壁面６側に軒天井板８の逃げのスペースを十分確保することが出来、しかも軒天井板８の鼻隠し側の端部は断面Ｗ字形状の受け金具９により仮支持されて軒天井板８を安定して且つ容易に受け金具９の受け片９ｃ上に載置することが出来る。
【００２８】
次に、図４に示すように、軒天井板８の外壁面６側の端部が固定部材となる釘11により壁際野縁７の下面７ａに固定される。
【００２９】
これにより、軒天井板８の鼻隠し側の端部を受け金具９の受け片９ｃ上に載置した状態で軒天井板８の外壁面６側の端部を外壁面６側の壁際野縁７に固定することが出来るので、軒天井板８の施工作業が一人の作業員で行うことが出来、施工性に優れる。
【００３０】
また、前述した従来例のように、受け金具９の受け片９ｃの呑み込み代を大きくする必要がなく受け金具９の見付け寸法も小さくて済む。また、外壁面６側に隙間が出来ないため隙間を隠す部材も必要がない。
【００３１】
軒天井板８の鼻隠し側の端部を受け金具９の受け片９ｃ上に載置し、該軒天井板８の外壁面６側の端部を壁際野縁７に固定した後は、受け金具９のアングル片９ｂに設けられた切欠部９ｄから図５及び図６に示すように、断面コ字形状の拘束金具12の上片12ａを挿通して軒天井板８の上面に当接し且つ該拘束金具12の下片12ｂを軒天井板８を載置した受け金具９の受け片９ｃの下面に当接して該拘束金具12により軒天井板８と受け金具９の受け片９ｃとを挟持して拘束し、ワンタッチで固定することが出来る。
【００３２】
本実施形態の拘束金具12は図３に示すように、軒天井板８の板厚に受け金具９の受け片９ｃの板厚を加えた寸法に対応する離間間隔を有する上片12ａと下片12ｂとが接続片12ｃにより連結されており、接続片12ｃの上下片12ａ，12ｂの延長方向と反対側には拘束金具12の抜け防止のための突起部12ｄが設けられている。また上片12ａの接続片12ｃからの延長寸法は下片12ｂの接続片12ｃからの延長寸法よりも幾分長く延長されており該上片12ａにより軒天井板８の上面を安定して拘束することが出来る。
【００３３】
図１に示すように、鼻隠し下地材４の下面４ｂには、受け金具９と拘束金具12と軒天井板８の鼻隠し側の端部とを覆う通気見切り材13の取付片13ｅが固定部材となるビス10により固定される。
【００３４】
通気見切り材13は、図７に示すように、その長手方向に断面Ｖ字形状の突条部13a1が設けられた底面部13ａと、該底面部13ａの外壁面６側に接続されて起立した壁面部13ｂと、該壁面部13ｂに接続されて受け金具９の受け片９ｃの上面と軒天井板８の下面との間に挿入される挿入片13ｃと、底面部13ａの鼻隠し板３側に接続されて起立した通気部13ｄと、該通気部13ｄに接続されて一旦鼻隠し板３側に張り出し、更に外壁面６側に折り返された取付片13ｅと、該取付片13ｅから更に外壁面６側に張り出した張出片13ｆと、該張出片13ｆに接続されて垂下した垂下片13ｇとを有して構成されている。
【００３５】
長尺状の通気見切り材13は、１枚の鋼板、ステンレス板等の鋼板を冷間ロールフォーミング法等により折曲プレス加工することにより全体が一体的に形成される。
【００３６】
通気見切り材13の通気部13ｄは、図７に示すように、起立片13d1と、該起立片13d1に接続され、内側に傾斜して立ち上がる傾斜片13d2と、該傾斜片13d2に設けられたスリット状の通気穴13d3を有して構成されており、図１に示すように、小屋裏１内部と外気との通気経路ｂが該通気見切り材13内部の換気用空気通路13ｈを介して形成される。
【００３７】
本実施形態では、暴風雨時に雨風が直接当らない鼻隠し側で通気見切り材13を介して小屋裏１の換気が出来るので防水性に優れるものであるが、図１に示す本実施形態の通気経路ｂでは、雨風が鼻隠し板３の下端部と通気部13ｄとの間を一旦上昇し、傾斜片13d2に設けられた通気穴13d3から斜めに下降し、水返しを兼ねる垂下片13ｇに衝突して水切りがされ、水きりされた外気は再度上昇して垂下片13ｇと軒天井板８の鼻隠し側の端部との間隙を通って小屋裏１に進入することが出来、小屋裏１内の空気は通気経路ｂを逆に流通して外気との換気が行われる。
【００３８】
これにより、通気見切り材13により暴風雨時に雨風が直接当らない鼻隠し側で小屋裏１の換気を確保すると共に、受け金具９と、拘束金具12と、軒天井板８の鼻隠し側の端部とを覆って小屋裏１への雨風の侵入を防止することが出来る。
【００３９】
通気見切り材13の垂下片13ｇは拘束金具12の接続片12ｃから鼻隠し側に突設された突起部12ｄに対向する位置に配置されており、該突起部12ｄが垂下片13ｇに当接して拘束金具12の脱落を防止することが出来、軒天井板８を受け金具９の受け片９ｃに対して安定して拘束することが出来る。
【００４０】
通気見切り材13の換気用空気通路13ｈ内には熱によって膨張する不燃性体積膨張材14が設けられている。不燃性体積膨張材14は火災時に熱膨張して通気見切り材13の換気用空気通路13ｈを閉塞し得る場所であれば、通気見切り材13の何れの部位に設置しても良い。本実施形態では、通気見切り材13の底面部13ａ上に設けた場合の一例である。
【００４１】
不燃性体積膨張材14は接着剤や粘着テープ等により通気見切り材13の内面に貼着することが出来る。不燃性体積膨張材14は、膨張性グラファイト系の防炎、防煙用シール材であって、通過熱風温度が１５０℃〜１７０℃で約１０倍に膨張する性質を有している。不燃性体積膨張材14としては、例えば、オーストリア  ケミー・リンツ社製の「インツメックス（商品名）」や種々の不燃性体積膨張材が適用可能である。
【００４２】
図８（ａ）は不燃性体積膨張材14を通気見切り材13の底面部13ａ上で軒天井板８の鼻隠し側の端部下方に設置し、該不燃性体積膨張材14が熱膨張して換気用空気通路13ｈを塞いだ様子を示す図であり、図８（ｂ）は不燃性体積膨張材14を通気見切り材13の底面部13ａ上で垂下片13ｇよりも鼻隠し側に設置し、該不燃性体積膨張材14が熱膨張して換気用空気通路13ｈを塞いだ様子を示す図である。このように、通気見切り材13の換気用空気通路13ｈ内に不燃性体積膨張材14を設けたことで、火災の際には不燃性体積膨張材14が該換気用空気通路13ｈを閉塞するように熱膨張するので高密度の熱気遮蔽部が構成出来、防火性が向上する。
【００４３】
次に図９〜図12を用いて本発明に係る軒天井板の支持構造の第２実施形態の構成について説明する。図９は本発明に係る軒天井板の支持構造の第２実施形態の構成を示す断面説明図、図10は第２実施形態の受け金具の構成を示す図、図11は第２実施形態の拘束金具の構成を示す図、図12は第２実施形態において、拘束金具により軒天井板を受け金具に拘束する様子を示す斜視説明図である。尚、前記第１実施形態と同様に構成したものは同一の符号を付して説明を省略する。
【００４４】
本実施形態の受け金具９は、図10に示すように、受け片９ｃに延長されて下方に傾斜したガイド片９ｅが設けられており、図９に示すように、通気見切り材13の挿入片13ｃを受け金具９の受け片９ｃ上に載置された軒天井板８の下面と該受け片９ｃとの間に挿入する際に挿入片13ｃがガイド片９ｅにガイドされて容易に挿入出来る。
【００４５】
また、本実施形態の拘束金具12は、図11に示すように、上片12ａの両側に板ばね片12a1が設けられている。そして、図９及び図12に示すように、軒天井板８の鼻隠し側の端部を受け金具９の受け片９ｃ上に載置した状態で、受け金具９の切欠部９ｄから拘束金具12の上片12ａ及び板ばね片12a1を挿入し、該拘束金具12の下片12ｂを受け片９ｃの下面に当接すると共に拘束金具12の上片12ａ及び板ばね片12a1を軒天井板８の上面に当接して拘束金具12の上下片12ａ，12ｂにより軒天井板８と受け金具９の受け片９ｃを挟み込んで拘束すると共に、板ばね片12a1により軒天井板８の上面を押圧して軒天井板８を受け金具９の受け片９ｃに対してより強固に固定することが出来る。
【００４６】
また、本実施形態の通気見切り材13は、底面部13ａに長手方向に設けられた突条部13a1が断面ハット状に形成され、挿入片13ｃが軒天井板８の下面と受け片９ｃの上面との間で挟持されるように該挿入片13ｃを前記第１実施形態よりも幾分内側に延長した構成となっている。
【００４７】
他の構成は前記第１実施形態と同様に構成され、同様の効果を得るものである。
【００４８】
次に図13及び図14を用いて本発明に係る軒天井板の支持構造の第３実施形態の構成について説明する。図13は本発明に係る軒天井板の支持構造の第３実施形態の構成を示す断面説明図、図14は第３実施形態において、拘束金具により軒天井板を受け金具に拘束する様子を示す斜視説明図である。尚、前記各実施形態と同様に構成したものは同一の符号を付して説明を省略する。
【００４９】
本実施形態の拘束金具12は、図14に示すように、接続片12ｃに設けた突起部12ｄの代わりに、上片12ａの中央部に該上片12ａの延長方向と反対方向に張り出した固定片12ｅが設けてあり、該固定片12ｅにねじ孔12e1が形成されている。
【００５０】
そして、図13及び図14に示すように、軒天井板８の鼻隠し側の端部を受け金具９の受け片９ｃ上に載置した状態で、受け金具９の切欠部９ｄから拘束金具12の上片12ａを挿入し、該拘束金具12の下片12ｂを受け片９ｃの下面に当接すると共に拘束金具12の上片12ａを軒天井板８の上面に当接して拘束金具12の上下片12ａ，12ｂにより軒天井板８と受け金具９の受け片９ｃを挟み込んで拘束した後、固定片12ｅのねじ孔12e1にストッパ部材となるねじ15を螺着する。
【００５１】
拘束金具12の固定片12ｅの先端部12e2及び固定片12ｅのねじ孔12e1に螺着されたねじ15の頭部は通気見切り材13の垂下片13ｇに対向する位置に配置されており、更に固定片12ｅのねじ孔12e1に螺着されたねじ15の軸部は受け金具９のアングル片９ｂの水平片9b1に形成された切欠部９ｄの端辺9d1に対向する位置に配置されている。
【００５２】
これにより、拘束金具12の固定片12ｅの先端部12e2及びねじ15の頭部が垂下片13ｇに当接し、更にねじ15の軸部が受け金具９の切欠部９ｄの端辺9d1に当接して拘束金具12の脱落を防止することが出来、軒天井板８を受け金具９の受け片９ｃに対して安定して拘束することが出来る。他の構成は前記各実施形態と同様に構成され、同様の効果を得るものである。
【００５３】
次に図15及び図16を用いて本発明に係る軒天井板の支持構造の第４実施形態の構成について説明する。図15は本発明に係る軒天井板の支持構造の第４実施形態の構成を示す断面説明図、図16は第４実施形態の受け金具と拘束金具を示す斜視説明図である。尚、前記各実施形態と同様に構成したものは同一の符号を付して説明を省略する。
【００５４】
図15及び図16に示すように、本実施形態の受け金具９は受け片９ｃに緩やかな湾曲部を介して垂下片９ｆが接続されている。また、拘束金具12は２重に重ね合わせた板ばねで構成されており、外側の板ばねを折り返したクリップ部12a2が形成されている。
【００５５】
そして、軒天井板８の鼻隠し側の端部を受け金具９の受け片９ｃ上に載置した状態で、受け金具９の切欠部９ｄから拘束金具12の上片12ａを挿入し、該拘束金具12の下片12ｂを受け片９ｃの下面に当接すると共に拘束金具12の上片12ａに設けられたクリップ部12a2を軒天井板８の上面に当接して拘束金具12の上下片12ａ，12ｂにより軒天井板８と受け金具９の受け片９ｃを挟み込んで拘束することが出来、クリップ部12a2の弾性力により軒天井板８の上面を押圧してより強固に軒天井板８を固定することが出来る。他の構成は前記各実施形態と同様に構成され、同様の効果を得るものである。
【産業上の利用可能性】
【００５６】
本発明の活用例として、建物の外壁面から突出した軒の下面に設置する軒天井板の支持構造に適用出来る。
【図面の簡単な説明】
【００５７】
【図１】本発明に係る軒天井板の支持構造の第１実施形態の構成を示す断面説明図である。
【図２】第１実施形態の受け金具の構成を示す図である。
【図３】第１実施形態の拘束金具の構成を示す図である。
【図４】軒天井板を設置する様子を示す図である。
【図５】第１実施形態において、拘束金具により軒天井板を受け金具に拘束する様子を示す断面説明図及び斜視説明図である。
【図６】第１実施形態において、拘束金具により軒天井板を受け金具に拘束する様子を示す断面説明図及び斜視説明図である。
【図７】通気見切り材の構成を示す斜視図である。
【図８】換気用空気通路内に設けた不燃性体積膨張材が熱によって膨張した様子を示す図である。
【図９】本発明に係る軒天井板の支持構造の第２実施形態の構成を示す断面説明図である。
【図１０】第２実施形態の受け金具の構成を示す図である。
【図１１】第２実施形態の拘束金具の構成を示す図である。
【図１２】第２実施形態において、拘束金具により軒天井板を受け金具に拘束する様子を示す斜視説明図である。
【図１３】本発明に係る軒天井板の支持構造の第３実施形態の構成を示す断面説明図である。
【図１４】第３実施形態において、拘束金具により軒天井板を受け金具に拘束する様子を示す斜視説明図である。
【図１５】本発明に係る軒天井板の支持構造の第４実施形態の構成を示す断面説明図である。
【図１６】第４実施形態の受け金具と拘束金具を示す斜視説明図である。
【符号の説明】
【００５８】
１…小屋裏
２…屋根
３…鼻隠し板
４…鼻隠し下地材
４ａ…内面
４ｂ…下面
５…胴縁
６…外壁面
７…壁際野縁
７ａ…下面
８…軒天井板
９…受け金具
９ａ…取付片
9a1…取付穴
９ｂ…アングル片
9b1…水平片
9b2…垂下片
９ｃ…受け片
９ｄ…切欠部
9d1…端辺
９ｅ…ガイド片
９ｆ…垂下片
10…ビス
11…釘
12…拘束金具
12ａ…上片
12a1…板ばね片
12a2…クリップ部
12ｂ…下片
12ｃ…接続片
12ｄ…突起部
12ｅ…固定片
12e1…ねじ孔
12e2…先端部
13…通気見切り材
13ａ…底面部
13a1…突条部
13ｂ…壁面部
13ｃ…挿入片
13ｄ…通気部
13d1…起立片
13d2…傾斜片
13d3…通気穴
13ｅ…取付片
13ｆ…張出片
13ｇ…垂下片
13ｈ…換気用空気通路
14…不燃性体積膨張材
15…ねじ
【図１】
0004843365.tif 000002
【図２】
0004843365.tif 000003
【図３】
0004843365.tif 000004
【図４】
0004843365.tif 000005
【図５】
0004843365.tif 000006
【図６】
0004843365.tif 000007
【図７】
0004843365.tif 000008
【図８】
0004843365.tif 000009
【図９】
0004843365.tif 000010
【図１０】
0004843365.tif 000011
【図１１】
0004843365.tif 000012
【図１２】
0004843365.tif 000013
【図１３】
0004843365.tif 000014
【図１４】
0004843365.tif 000015
【図１５】
0004843365.tif 000016
【図１６】
0004843365.tif 000017